(57)【要約】【課題】消防ホースに内圧がかかったときに生じるねじり力を削減又は解消することで、危険な状態を回避し、或いは半動力を削減して、ねじり力による消火活動への影響を無くすことのできる、コンパクトな構成の消防ホース用接手を提供する。【解決手段】消防継手の受け金具内に接続可能な差し込み管１と、差し込み管１の他端側の外周面又は内周面のいずれかに沿って、自在回転可能に嵌め込み固定された回転枠３１と、差し込み管１の前記外周面又は内周面のいずれかと、ここに嵌め込まれる回転枠３１の嵌め込み部分の内周面又は外周面との間に、管周方向に沿って均等間隔で挟設された複数個のボールベアリング４２と、差し込み管１の他端側の前記外周面又は内周面のいずれか、或いはここに嵌め込まれる回転枠３１の嵌め込み部分の内周面又は外周面のいずれかに管周面に沿って埋め込まれ、その一部が突出形成されたリング状のガスケット４１とから構成される。【選択図】  図１
0003188807.tif 000002
【実用新案登録請求の範囲】
【請求項１】
受け口を有する消防継手の受け金具内に一端側を差し込まれて接続可能な差し込み管と、
差し込み管の他端側の外周面又は内周面のいずれかに沿って、自在回転可能に嵌め込み固定された回転枠と、
差し込み管の前記外周面又は内周面のいずれかと、ここに嵌め込まれる回転枠の嵌め込み部分の内周面又は外周面との間に、管周方向に沿って均等間隔で挟設された複数個のボールベアリングと、
差し込み管の他端側の前記外周面又は内周面のいずれか、或いはここに嵌め込まれる回転枠の嵌め込み部分の内周面又は外周面のいずれかに管周面に沿って埋め込まれ、その一部が突出形成されたリング状のガスケットと、から構成され、
前記差し込み管の一端側の先部、又は、回転枠の嵌め込み固定側と反対側である他端側の先部のいずれかに、消防用ホースが接続されるホース接続構造を有することを特徴とする消防ホース用接手。
【請求項２】
回転枠の嵌め込み固定側と反対側である他端側の先部には、外周に連続段差を有して消防ホースを外周接続可能なホース接続管構造が一体形成される請求項１記載の消防ホース用接手。
【請求項３】
差し込み管の一端側の先部は、管先端が拡径したストップ部を有する短管からなり、管外周に受け金具を取り外すリリース用リングが、管長方向に沿って前記回転枠の嵌め込み部分からストップ部までをスライド可能に嵌め込まれてなり、
また、回転枠の他端側である先側は、外周に連続段差を有して消防ホースを外周接続可能なホース接続管構造が一体形成される請求項１又は２記載の消防ホース用接手。
【請求項４】
差し込み管の一端側の先部は、管先端が拡径したストップ部を有する短管からなり、管外周に受け金具を取り外すリリース用リングが、管長方向に沿って前記回転枠の嵌め込み部分からストップ部までをスライド可能に嵌め込まれてなり、
また、回転枠の他端側である先側は、消火用の加圧水を供給する供給管継手が形成される請求項１又は２記載の消防ホース用接手。
【請求項５】
差し込み管の他端側先部と回転枠の一端側先部とが、回転枠の外枠部又は内枠部によって所定の管長区間内で重なるものであり、
前記管長区間内における、差し込み管及び回転枠の対向する内外周面にそれぞれ、各ボールベアリングを対向して収容する複数対の収容穴が周設され、これら複数対の収容穴のそれぞれの穴内にボールベアリングが一つずつ滑り回転可能に収容されてなり、
また、前記管長区間内における、差し込み管及び回転枠の対向する内外周面のうちいずれかであって、前記収容穴のよりも他端寄りの位置に、Ｏリング形状のガスケットを収容する収容溝が形成され、この収容溝内にガスケットが埋め込まれてなる請求項１ないし４のいずれか記載の消防ホース用接手。
【請求項６】
回転枠は、差し込み管の前記他端側の先部の外周面の所定の管長区間を屈曲断面形状によって覆い囲う外枠部と、
外枠部から嵌め込み固定側と反対側である他端側に、差し込み管と同内径のまま延長する延長管と、から一体的に構成される請求項１ないし５のいずれか記載の消防ホース用接手。
【考案の詳細な説明】
【技術分野】
【０００１】
本考案は消防ホースに直接接続されるか或いは消防ホースに連結された受け口側を介して接続される消防ホース用接手構造に関する。
【背景技術】
【０００２】
従来、本体が互いに脱着自在な管状の受け金具２と差し金具３とから構成された消防ホース用接手において、差し金具３に、軸方向にスライド可能な押し輪７が装着され、また、受け金具２側に外周に嵌合溝８が設けられ、この嵌合溝８にテープ状の反射材９が巻き付けられ、さらにこの反射材９の外周を包み込むように、透明樹脂から成形された弾性バンド１０が装着されたものが開示される（特許文献１参照）。弾性バンド８は受け金具２の外周に凸状に突出し、この突出により接手金具やホース端末が路面を引きずられたとき損傷しないように保護し、また落下や衝突時の衝撃を緩和するようしている、とされる。
【０００３】
また従来、簡単迅速にホースの接続が行えると同時に、構造の簡略化によって価格面での改良を図ることができるホース継手として、円筒状の差込み部材２と、先端部にソケット部３が設けられた受け部材４と、前記差込み部材２の外側で途中の位置に回動自在となるよう外嵌した操作リング５からなり、前記操作リング５に、内面側に係止突起が設けられた突出部１０を設け、前記ソケット部３の外周に、係止突起の軸方向への進入位置で操作リング５を回動させることにより、係止突起の係合によって差込み部材２と受け部材４の接続状態を保持する突条１７を設けたものが開示される（特許文献２参照）。
【０００４】
これらの消防ホース用接手は、受け金具の弾性バンド装着位置の管内面から内方へ出没可能な係止爪が設けられており、接続時にはこの係止爪が差し金具先端付近に設けられた周溝に係止することで、接続状態がロックされる。また差し金具の上記周溝の基端側には押し輪が装着されており、リリース時にはこの押し輪を軸方向先側に押し込んでスライドさせることで、周溝内の係止爪が外周側へ押し出されて接続状態のロックが解除される。
【先行技術文献】
【特許文献】
【０００５】
【特許文献１】特開平８−７１１７２号公報
【特許文献２】実用新案登録第３１５８４７８号公報
【考案の開示】
【考案が解決しようとする課題】
【０００６】
上記消防ホース用接手は、受け金具又は差し金具の接続側と反対側の先部が外形に段差を有する接続管（いわゆるタケノコ管）で構成され、この接続管（いわゆるタケノコ管）を介して消防ホースと接続される。或いは、接続管（いわゆるタケノコ管）を介さずに、受け金具又は差し金具の接続側と反対側の先部が直接、タケノコ消防用ホースと固定接続されている。
ところで消防用ホースは一般的に、非使用時には折り畳むか巻いた収納状態としてあり、消火活動時には消防ホース用接手をポンプ車やスタンドパイプなどの給水管に接続し、前記収納状態のホースを伸ばして高圧力で放水するものである。この時の放水圧力は筒先で約３ｋｇ／ｃｍ２前後（０．３ＭＰａ）であり、ポンプ出力は約３〜８．５ｋｇ／ｃｍ２（０．３〜０．８５ＭＰａ）もの規格圧力が設定される。このため、消防ホース接手部分では約３ｋｇ／ｃｍ２（０．３ＭＰａ）以上の内圧がかかる。
【０００７】
ここで、給水管に接続し給水を開始することで消防ホースに内圧がかかったとき、消防ホースには前記内圧によるねじり力が生じる。このねじり力は消防ホース先側のノズル部分（放水器）を大きく左右に振らせるほどの力であり、消火活動員がノズル部分（放水器）を持っていなければノズル部分（放水器）が動きつづける危険な状態となる。また消火活動員が消防ホースや先側のノズル部分（放水器）を保持していても、前記ねじり力によって保持者に小さくない半動力を与えるものであり、一刻を争う消火活動に支障をきたすおそれがある。
【０００８】
またねじれ解消のために自在回転ソケットを給水管内に介在させることも考えられるが、この場合は給水管内に一定のソケット長及び接続長を確保する必要があり、コンパクトに構成することができない。
【０００９】
そこで本考案は、給水を開始することで消防ホースに内圧がかかったときに生じるねじり力を削減又は解消することで、先側のノズル部分（放水器）が大きく左右に振られてノズル部分（放水器）が動きつづける危険な状態を回避し、或いは、消防ホースや先側のノズル部分（放水器）への半動力を削減して、ねじり力による消火活動への影響を無くすことのできる、コンパクトな構成の消防ホース用接手を提供することを課題とする。
【課題を解決するための手段】
【００１０】
上記課題を解決すべく本考案は以下（１）〜（６）の手段を講じた消防ホース用接手としている。
（１）本考案の消防ホース用接手は、受け口を有する消防継手の受け金具内に一端側を差し込まれて接続可能な差し込み管１と、
差し込み管１の他端側の外周面又は内周面のいずれかに沿って、自在回転可能に嵌め込み固定された回転枠３１と、
差し込み管１の前記外周面又は内周面のいずれかと、ここに嵌め込まれる回転枠３１の嵌め込み部分の内周面又は外周面との間に、管周方向に沿って均等間隔で挟設された複数個のボールベアリング４２と、
差し込み管１の他端側の前記外周面又は内周面のいずれか、或いはここに嵌め込まれる回転枠３１の嵌め込み部分の内周面又は外周面のいずれかに管周面に沿って埋め込まれ、その一部が突出形成されたリング状のガスケット４１と、から構成される消防ホース用接手であって、
前記差し込み管１の一端側の先部、又は、回転枠３１の嵌め込み固定側と反対側である他端側の先部のいずれかに、消防用ホースが接続されるホース接続構造を有することを特徴とする。
【００１１】
（２）上記載の消防ホース用接手において、回転枠３１の嵌め込み固定側と反対側である他端側の先部には、外周に連続段差を有して消防ホースを外周接続可能なホース接続管構造が一体形成されることが好ましい。
外周に連続段差を有して消防ホースを外周接続可能なホース接続管構造とは、いわゆるタケノコ管であり、上記構成は、いわゆるタケノコ管の根元が回転枠３１によって差し込み管１に回転可能に嵌め込まれたものである。ホースが直接接続されるホース接続用の継手でありながら、継手のタケノコ管部分が自在回転するため、ホース先側だけでねじり力によるねじれを自動的に解消することができる。
【００１２】
（３）上記載の消防ホース用接手において、差し込み管１の一端側の先部は、管先端が拡径したストップ部１２を有する短管からなり、管外周に受け金具を取り外すリリース用リング２が、管長方向に沿って前記回転枠３１の嵌め込み部分からストップ部１２までをスライド可能に嵌め込まれてなり、
また、回転枠３１の他端側である先側は、外周に連続段差を有して消防ホースを外周接続可能なホース接続管構造が一体形成されることが好ましい。
上記構造はすなわち、マチノ式継手の差し込み管の他端側（継手接続側と反対側）が自在回転可能な回転枠で構成され、回転枠の他端側はいわゆるタケノコ管の根元が回転枠３１によって消防ホースを差し込み固定可能にしたものである。マチノ式継手の差し込み側接手の一側端の先が自在回転式に構成され、様々なマチノ式受け側金具と接続可能であると共に、他側端の先がホースを交換可能に接続できるため、コンパクトな接手スペースでありながらホースの加圧によるねじれを自動解消し、供給管側にねじれ力による余分な負荷を与えないものとなる。
【００１３】
（４）上記載の消防ホース用接手において、差し込み管１の一端側の先部は、管先端が拡径したストップ部１２を有する短管からなり、管外周に受け金具を取り外すリリース用リング２が、管長方向に沿って前記回転枠３１の嵌め込み部分からストップ部１２までをスライド可能に嵌め込まれてなり、
また、回転枠３１の他端側である先側は、消火用の加圧水を供給する供給管継手が形成されることが好ましい。
上記構造はすなわち、マチノ式継手の差し込み管の他端側（継手接続側と反対側）が自在回転可能な回転枠で構成され、回転枠の他端側はエルボ、ソケットといった、消火水供給用の供給管継手から構成されたものである。供給管継手の先が回転式のマチノ式継手の差し込み管となって構成されるため、コンパクトなスペースでありながらホースの加圧によるねじれを自動解消し、供給管側にねじれ力による余分な負荷を与えないものとなる。
【００１４】
（５）上記載の消防ホース用接手において、差し込み管１の他端側先部と回転枠３１の一端側先部とが、回転枠３１の外枠部又は内枠部によって所定の管長区間内で重なるものであり、
前記管長区間内における、差し込み管１及び回転枠３１の対向する内外周面にそれぞれ、各ボールベアリング４２を対向して収容する複数対の収容穴が周設され、これら複数対の収容穴のそれぞれの穴内にボールベアリングが一つずつ滑り回転可能に収容されてなり、
また、前記管長区間内における、差し込み管１及び回転枠３１の対向する内外周面のうちいずれかであって、前記収容穴のよりも他端寄りの位置に、Ｏリング形状のガスケット４１を収容する収容溝４１Ｄが形成され、この収容溝４１Ｄ内にガスケット４１が埋め込まれてなることが好ましい。
上記構成であれば、重なり合う管長区間で複数個のボールベアリング４２が嵌め込まれて周回転を自在かつ円滑にすると共に、このボールベアリング４２よりも他端側にガスケット４１が収容埋設されることで、差し込み管１と回転枠３１の接続部分のうち、ボールベアリング４２よりも内側の位置で流体の封止が可能となる。すなわちボールベアリング４２がガスケット４１よりも接続部分外側（一端側）に形成され、ボールベアリング４２部分で流体流通が生じない構造となっている。これによりボールベアリング４２が管内水にさらされることがなく、耐久性を有した確実な自在回動が可能となる。
【００１５】
（６）上記載の消防ホース用接手において、回転枠３１は、差し込み管１の前記他端側の先部の外周面の所定の管長区間を屈曲断面形状によって覆い囲う外枠部と、
外枠部から嵌め込み固定側と反対側である他端側に、差し込み管１と同内径のまま延長する延長管と、から一体的に構成されることが好ましい。
上記構成であれば、回転枠３１が外枠部と延長管とから一体構成され、このうち外枠部によって差し込み管１を外側から嵌め込み、かつ差し込み管１の管内径は一定のままで延長管にまで連なることとなる。このため余分な管内流通の負荷を与えることなく水を流量・流速一定のまま管内流通させることができる。
【考案の効果】
【００１６】
上記手段を講じることで、自在回転構造を消防ホース接続用の接手自体に備えることで、消防ホースに内圧がかかったときに生じるねじり力を自動的に、かつコンパクトな構成をもって削減又は解消することができる。これにより、ねじり力に基づいて起こり得る危険な状態を回避し、或いは、消防ホースや先側のノズル部分（放水器）への半動力を削減して、ねじり力による消火活動への影響を無くすことのできる、コンパクトな構成の消防ホース用接手を提供することができる。
【図面の簡単な説明】
【００１７】
【図１】実施例１の消防ホース用接手の半断面構造説明図
【図２】実施例２の消防ホース用接手の半断面構造説明図
【図３】実施例３の消防ホース用接手の取り付け状態説明図
【図４】図３のα部分における部分切欠き構造説明図
【図５】実施例４の消防ホース用接手の半断面構造説明図
【図３】実施例５の消防ホース用接手の半断面構造説明図
【考案を実施するための形態】
【００１８】
以下本考案を実施するための最良の形態につき説明する。いずれの実施例においても本考案のホース継ぎ手は基本的に、
・受け口を有する消防継手の受け金具内に一端側を差し込まれて接続可能な差し込み管１と、
・差し込み管１の他端側の外周面又は内周面のいずれかに沿って、自在回転可能に嵌め込み固定された回転枠３１と、
・差し込み管１の前記外周面又は内周面のいずれかと、ここに嵌め込まれる回転枠３１の嵌め込み部分の内周面又は外周面との間に、管周方向に沿って均等間隔で挟設された複数個のボールベアリング４２と、
・差し込み管１の他端側の前記外周面又は内周面のいずれか、或いはここに嵌め込まれる回転枠３１の嵌め込み部分の内周面又は外周面のいずれかに管周面に沿って埋め込まれ、その一部が突出形成されたリング状のガスケット４１と、から構成される。
そして本考案の特長として、差し込み管１の一端側の先部、又は、回転枠３１の嵌め込み固定側と反対側である他端側の先部のいずれかに、消防用ホースが接続されるホース接続構造を有する。
【００１９】
（自在回転構造）
上記載の消防ホース用接手において、差し込み管１の他端側先部と回転枠３１の一端側先部とが、回転枠３１の外枠部又は内枠部によって所定の管長区間内で重なるものであり、
前記管長区間内における、差し込み管１及び回転枠３１の対向する内外周面にそれぞれ、各ボールベアリング４２を対向して収容する複数対の収容穴が周設され、これら複数対の収容穴のそれぞれの穴内にボールベアリングが一つずつ滑り回転可能に収容されてなり、
また、前記管長区間内における、差し込み管１及び回転枠３１の対向する内外周面のうち少なくともいずれかであって、前記収容穴のよりも他端寄りの位置に、Ｏリング形状のガスケット４１を収容する収容溝４１Ｄが形成され、この収容溝４１Ｄ内にガスケット４１が埋め込まれてなる。このボールベアリング収容機構とガスケット埋設機構とによって、自在回転機能とホース接続時の封水機能とを同時に管長区間内でコンパクトに達成している。
【００２０】
差し込み管１の他端先部は同じ内径、外径をもってストレートに形成されており、回転枠はこの差し込み管１の他端先部を外枠又は内枠状に段差変形した枠部によって、所定の管長区間で覆い重なる。回転枠３１は差し込み管１の内面に沿って屈曲する内枠、差し込み管１の外面に沿って屈曲する外枠のいずれでもよい。また、ガスケット４１の収容溝４１Ｄは差し込み管１、回転枠の枠面のいずれに形成されていてもよい。
【実施例１】
【００２１】
図１に示す実施例１の消防ホース用接手において、回転枠３１の嵌め込み固定側と反対側である他端側の先部には、外周に連続段差を有して消防ホースを外周接続可能なホース接続管構造（いわゆるタケノコ管）からなる消防ホース接続管が一体形成される。
外周に連続段差を有して消防ホースを外周接続可能なホース接続管構造とは、いわゆるタケノコ管であり、上記構成は、いわゆるタケノコ管の根元が回転枠３１によって差し込み管１に回転可能に嵌め込まれたものである。ホースが直接接続されるホース接続用の継手でありながら、継手のタケノコ管部分が自在回転するため、ホース先側だけでねじり力によるねじれを自動的に解消することができる。
【００２２】
（差し込み継手）
上記載の消防ホース用接手において、差し込み管１の一端側の先部は、管先端が拡径したストップ部１２を有する短管からなり、管外周に受け金具を取り外すリリース用リング２が、管長方向に沿って前記回転枠３１の嵌め込み部分からストップ部１２までをスライド可能に嵌め込まれてなり、
また、回転枠３１の他端側である先側は、消火用の加圧水を供給する供給管継手が形成される。
上記構造はすなわち、マチノ式継手の差し込み管である。この差し込み管が本考案の接手の他端側（継手接続側と反対側）に自在回転可能な回転枠で構成されるため、コンパクトなスペースでありながらホースの加圧によるねじれを自動解消し、供給管側にねじれ力による余分な負荷を与えないものとなる。
【００２３】
（自在回転構造）
上記載の消防ホース用接手において、差し込み管１の他端側先部と回転枠３１の一端側先部とが、回転枠３１の外枠部又は内枠部によって所定の管長区間内で重なるものであり、
前記管長区間内における、差し込み管１及び回転枠３１の対向する内外周面にそれぞれ、各ボールベアリング４２を対向して収容する複数対の収容穴が周設され、これら複数対の収容穴のそれぞれの穴内にボールベアリングが一つずつ滑り回転可能に収容されてなり、
また、前記管長区間内における、差し込み管１及び回転枠３１の対向する内外周面のうちいずれかであって、前記収容穴のよりも他端寄りの位置に、Ｏリング形状のガスケット４１を収容する収容溝４１Ｄが形成され、この収容溝４１Ｄ内にガスケット４１が埋め込まれてなる。
【００２４】
実施例１では特に、差し込み管１の他端の管外面を覆う略Ｌ字屈曲形の片断面の外枠部が、いわゆるタケノコ管の根元部分で拡径形成されている。またこの略Ｌ字屈曲断面の外枠部の枠内面が枠長からなる所定の管長区間内で差し込み管１に重なっている。この管長区間内のうち、一端側である外枠の枠端寄りの位置にボールベアリング４２が収容されており、他端側である外枠の屈曲部寄りの位置にガスケット４１が収容されている。ガスケット４１の収容溝４１Ｄは差し込み管１の外周先端近傍に形成されており、管内流水を妨げず且つ管長区間内への不要な水の流入を防ぐ位置にて封水している。
上記構成であれば、重なり合う管長区間で複数個のボールベアリング４２が嵌め込まれて周回転を自在かつ円滑にすると共に、このボールベアリング４２よりも他端側にガスケット４１が収容埋設されることで、差し込み管１と回転枠３１の接続部分のうち、ボールベアリング４２よりも内側の位置で流体の封止が可能となる。すなわちボールベアリング４２がガスケット４１よりも接続部分外側（一端側）に形成され、ボールベアリング４２部分で流体流通が生じない構造となっている。これによりボールベアリング４２が管内水にさらされることがなく、耐久性を有した確実な自在回動が可能となる。
【００２５】
（回転枠３１）
回転枠３１は、差し込み管１の前記他端側の先部の外周面の所定の管長区間を屈曲断面形状によって覆い囲う外枠部と、
外枠部から嵌め込み固定側と反対側である他端側に、差し込み管１と同内径のまま延長する延長管と、から一体的に構成される。
上記構成であれば、回転枠３１が外枠部と延長管とから一体構成され、このうち外枠部によって差し込み管１を外側から嵌め込み、かつ差し込み管１の管内径は一定のままで延長管にまで連なることとなる。このため余分な管内流通の負荷を与えることなく水を流量・流速一定のまま管内流通させることができる。
【実施例２】
【００２６】
図２に示す実施例２の消防ホース用接手においても、実施例１と同様、回転枠３１の嵌め込み固定側と反対側である他端側の先部には、外周に連続段差を有して消防ホースを外周接続可能なホース接続管構造（いわゆるタケノコ管）からなる消防ホース接続管が一体形成される。
【００２７】
但し実施例２の回転枠３１は、差し込み管１の前記他端側の先端と当接する張り出し鍔３３と、張り出し鍔３３よりも一端側にて、差し込み管１の管内面に挿入可能に伸長する挿入部３２とから構成される。挿入部３２は内径側に膨出して縮径部を構成しており、膨出先端部分及び膨出基端部分は傾斜面３２ｔで構成される。この挿入部３２で流通断面をわずかに小さくし、管内流速を上昇させることで、接手部分から外部への漏水を抑える構造となっている。
【００２８】
また実施例２では、差し込み管１の他端の管内面を覆う略台形の片断面の内枠部からなる挿入部３２が、いわゆるタケノコ管の根元部分で縮径形成され、張出鍔３３によって差し込み管１と当接した状態で接続されている。またこの内枠部からなる挿入部３２の挿入外面が枠長からなる所定の管長区間内で差し込み管１と重なっている。この管長区間内のうち、一端側である外枠の枠端寄りの位置にボールベアリング４２が収容されており、他端側である外枠の屈曲部寄りの位置にガスケット４１が収容されている。ガスケット４１の収容溝４１Ｄは差し込み管１の外周先端近傍に形成されており、張出鍔３３に近い位置にて封水している。
【実施例３】
【００２９】
図３、４に示す実施例３の消防ホース用接手においては、差し込み管１の一端側の先部は、管先端が拡径したストップ部１２を有する短管からなり、管外周に受け金具を取り外すリリース用リング２が、管長方向に沿って前記回転枠３１の嵌め込み部分からストップ部１２までをスライド可能に嵌め込まれてなり、
また、回転枠３１の他端側である先側は、消火水供給用の供給管継手たる屈曲（エルボ型）継手から構成されたものである。図３に示す屈曲（エルボ型）継手Ｐ３はスタンドパイプＰ２のパイプ上端に一体的に組み込まれたものであり、このスタンドパイプは、地中埋設側の供給部Ｐ０に自在接続継手Ｐ１を介して取り付けて使用される。
【００３０】
実施例３では実施例１と同様、供給管継手の一端側がマチノ式継手の差し込み管となって構成され、特に、消防ホースＨの先端に固定されたマチノ式継手の受け口金具と、分離可能に継手接続される。コンパクトなスペースでありながらホースの加圧によるねじれを自動解消し、供給管側にねじれ力による余分な負荷を与えないものとなる。
実施例３の回転枠３１は実施例１と同様、差し込み管１の前記他端側の先部の外周面の所定の管長区間を屈曲断面形状によって覆い囲う外枠部と、
外枠部から嵌め込み固定側と反対側である他端側に、差し込み管１と同内径のまま延長する延長管と、から一体的に構成される。
【００３１】
ただしこの回転枠３１の先部は屈曲（エルボ型）継手Ｐ３から構成され、本考案の消防ホース用接手はスタンドパイプＰ２に組み込まれた屈曲（エルボ型）継手Ｐ３の先側に接続されてなる。本考案のホース用接手はスタンドパイプＰ２の先部に組み込まれた構造となっている。
【００３２】
また、実施例３のようなスタンドパイプに限らず、ポンプ車の接続管や消防ポンプの接続管の先部に本考案の実施例３の消防ホース用接手を組み込んだ構造としてもよい。
【実施例４】
【００３３】
図５に示す実施例４の消防ホース用接手においては、差し込み管１の一端側の先部は、管先端が拡径したストップ部１２を有する短管からなり、管外周に受け金具を取り外すリリース用リング２が、管長方向に沿って前記回転枠３１の嵌め込み部分からストップ部１２までをスライド可能に嵌め込まれてなり、
また、回転枠３１の他端側である先側は、首部とその先の鍔部とが一体に構成され、この鍔部を挟んで、外周に連続段差を有して消防ホースを外周接続可能なホース接続管構造３（タケノコ管）が、ネジ式の外枠カップリング構造を介して取り付けられたものである。他の使用状態及び詳細は実施例１と同様である。
【００３４】
回転枠３１の先側が鍔部となっており、ここに外枠型のカップリング構造を介して、様々な消防ホース用継手を接続することができる。
【実施例５】
【００３５】
図６に示す実施例５の消防ホース用接手において、差し込み管１の一端側の先部は、首部とその先の鍔部とが一体に構成され、さらにその先側に、外螺子を有する接続ネジ管が一体的に構成される。この接続ネジ管に、外枠型のカップリング構造５を介して、管６又は消防継手との接続を可能としたものである。管外周に受け金具を取り外すリリース用リング２が、管長方向に沿って前記回転枠３１の嵌め込み部分からストップ部１２までをスライド可能に嵌め込まれてなる。
【００３６】
外枠型のカップリング構造５は外周にねじ込まれる内螺子管５１と、内螺子管５１の外周に貼り出し形成された操作アーム５２とから一体構成されてなり、内螺子管５１は一端側の端部が内枠型で管６の張り出し部と嵌合して取り付けられる。
また、回転枠３１の他端側である先側は、実施例１と同様の外枠部の先側に、外周に連続段差を有して消防ホースを外周接続可能なホース接続管構造３（タケノコ管）が、一体的に形成されたものである。差し込み管１の外周には、差し込み管１を回転操作するための立方体状の突起が周方向に複数個、固設される。
他の使用状態及び詳細は実施例１と同様である。
【００３７】
本考案は上記手段を講じており、枠部の嵌め込み構造とベアリングを介した自在回転構造によって、ホース取り付け端又はホース用の接続管を有した継手本体が回転機構を有するものとしており、また内外の管長区間でガスケットが埋設されることで回転による水漏れを防ぐ封止機能を確実に有するものとしている。これにより、コンパクトな管長とシンプルな構成でありながらホースのねじれを解消することのできる消防ホース用接手を提供するものとなった。その他の特記しない構成および使用方法は実施例１と共通である。
その他本考案の趣旨を逸脱しない範囲で種々の構成変更、一端側と他端側の構成の組み替え、或いは一部構成の抽出が可能である。
【符号の説明】
【００３８】
１  差し込み管
１２  ストップ部
２  リリース用リング
３  ホース接続管構造
３１  回転枠
４２  ボールベアリング
４１  ガスケット
４１Ｄ  収容溝
【図３】
0003188807.tif 000003
【図１】
0003188807.tif 000004
【図２】
0003188807.tif 000005
【図４】
0003188807.tif 000006
【図５】
0003188807.tif 000007
【図６】
0003188807.tif 000008
【手続補正書】
【提出日】平成25年6月17日(2013.6.17)
【手続補正１】
【補正対象書類名】明細書
【補正対象項目名】００１７
【補正方法】変更
【補正の内容】
【００１７】
【図１】実施例１の消防ホース用接手の半断面構造説明図
【図２】実施例２の消防ホース用接手の半断面構造説明図
【図３】実施例３の消防ホース用接手の取り付け状態説明図
【図４】図３のα部分における部分切欠き構造説明図
【図５】実施例４の消防ホース用接手の半断面構造説明図
【図６】実施例５の消防ホース用接手の半断面構造説明図